(57)【要約】【課題】  少ない部品点数で組み立て簡単な、両方向へのスライド操作可能なスライドスイッチを提供する。【解決手段】  操作子２１の各アーム部をスプリング２２の各孔部２２ａ、２２ｂに挿入することで、各アーム部でスプリングを支持させて、操作子２１とスプリング２２とを一体化させる。次に、操作子２１を下筐体４０に設けられたスライド溝部４２に挿入し、操作子２１に設けられているスプリング２２を、スライド溝部４２のスプリング収納部４３に収納することで、操作子２１をスライド溝部４２に立設する。そして、操作子２１の挟持レバー２８、２９の間に形成される間隙部３２に、スライド方向検出スイッチ３０の移動アーム３１を挿入したうえで、下筐体４０に対して上筐体５０を装着する。これにより、少ない部品点数で組み立て簡単な、両方向へのスライド操作可能なスライドスイッチを実現することができる。【選択図】  図３
2008097934.tif 000002
【特許請求の範囲】
【請求項１】
スライド操作方向に沿って、各先端部が所定の間隙部を介してそれぞれ略相対向するように設けられた一対のアーム部と、
スライド操作方向に対して略直交する方向に突出するように設けられた操作摘み部と、
を少なくとも備えた操作子と、
一方の孔部が上記操作子の各アーム部のうち、一方のアーム部に挿入され、また、他方の孔部が上記各アーム部のうち、他方のアーム部に挿入されるスプリングと、
上記操作子に設けられたスプリングを収納するためのスプリング収納部と、
上記スプリング収納部に収納された上記スプリングの一方の端部に当接することで、上記操作子の一方の方向へのスライド操作時における上記スプリングのスライド移動を抑止したうえで、上記操作子の一方の方向へのスライド移動を可能とする溝部を備えた第１のストッパと、上記スプリング収納部に収納された上記スプリングの他方の端部に当接することで、上記操作子の他方の方向へのスライド操作時における上記スプリングのスライド移動を抑止したうえで、上記操作子の他方の方向へのスライド移動を可能とする溝部を備えた第２のストッパとを備え、筐体と一体的に形成されると共に、上記一方及び他方の両方向へのスライド移動が可能となるように上記操作子を保持し、非スライド操作時には、上記一方の方向に対応するスライド位置及び上記他方の方向に対応するスライド位置の略中間となる位置に上記操作子を保持するスライド溝部と
を有する両方向スライドスイッチ装置。
【請求項２】
請求項１に記載の両方向スライドスイッチ装置であって、
上記操作子は、上記操作摘み部が設けられた面部の反対側となる面部から、該面部に対して略垂直方向に突出するように設けられた一対の挟持レバーを有し、
上記一対の挟持レバーでスライド方向検出スイッチの移動アームを挟持して、上記操作子のスライド操作に応じて上記挟持レバーを介して上記移動アームを移動させることで、上記操作子のスライド方向を上記スライド方向検出スイッチで検出可能としたこと
を特徴とする両方向スライドスイッチ装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、デジタルカメラ装置、ビデオカメラ装置、デスクトップ型或いはノート型のパーソナルコンピュータ装置、ハードディスクレコード装置、光ディスク装置等のあらゆる電子機器に適用して好適な両方向スライドスイッチ装置に関する。特に、スプリングの形成方向に沿って両方向にスライド操作可能であり、いずれの方向にスライド操作した場合でも中立位置に操作子を自動復帰させる両方向スライドスイッチ装置を、小スペースかつ簡単な構造で実現した両方向スライドスイッチ装置に関する。
【背景技術】
【０００２】
特開２００３−２９７１８３号の公開特許公報（特許文献１）に、組立作業を容易化したスライドスイッチが開示されている。このスライドスイッチは、ケースの収納部内に両端の座巻部数が合計で３／４巻き〜１巻きのコイル状のバネを圧入して収納し、可動接片が後方側面に装着された操作体の押圧部を下向きにして、左右の押圧部間に、収納部内のバネが配置されるように操作体を載置する。そして、最後にカバーをケース上面に装着することで組み立てるようになっている。
【０００３】
これにより、ケースの収納部内にバネを収納すると共に、左右の押圧部間に、この収納部内のバネが配置されるように操作体を載置したうえで、カバーをケース上面に装着するだけで、当該スライドスイッチを簡単に組み立てることができる。
【０００４】
また、バネの上半分と下半分の寸法がほぼ全周にわたって同等で、どの位置で収納部の左右側面に弾接しても当該バネを均等に撓ませることができるため、バネの中間部が突出する不都合や、バネが収納部から外れ不都合を防止することができる。
【０００５】
【特許文献１】特開２００３−２９７１８３号公報（第３頁：図２）
【発明の開示】
【発明が解決しようとする課題】
【０００６】
しかし、上述の特許文献１に開示されているスライドスイッチは、操作体とバネがそれぞれ別体としてケースの収納部に設けられているため、何らかの原因で収納部からカバーや操作体が外れた場合、該収納部内のバネも外れ、該バネが紛失するおそれがある。
【０００７】
また、上述の特許文献１に開示されているスライドスイッチは、当該スライドスイッチ自体が単体の部材となっている。このため、このスライドスイッチを機器に設ける場合、単体としてのスライドスイッチが設けられることから、機器における当該スライドスイッチの設置スペースが大きくなるおそれがある。
【０００８】
さらに、設計者が直接設計することができない上記スライドスイッチが、当該設計者が設計した機器の外観に反映されることとなるため、設計者による該機器のデザインが制約され、また、機器の外観を損なうおそれがある。
【０００９】
本発明は上述の課題に鑑みてなされたものであり、構成及び組み立て簡単で、バネが紛失することがなく、また、機器と一体となるデザインを可能とすることで、小スペースで設置可能とすることができ、また、機器の外観を損なう不都合を防止することができるような両方向スライドスイッチ装置の提供を目的とする。
【課題を解決するための手段】
【００１０】
本発明に係る両方向スライドスイッチ装置は、上述の課題を解決するための手段として、
スライド操作方向に沿って、各先端部が所定の間隙部を介してそれぞれ略相対向するように設けられた一対のアーム部と、
スライド操作方向に対して略直交する方向に突出するように設けられた操作摘み部と、
を少なくとも備えた操作子と、
一方の孔部が上記操作子の各アーム部のうち、一方のアーム部に挿入され、また、他方の孔部が上記各アーム部のうち、他方のアーム部に挿入されるスプリングと、
上記操作子に設けられたスプリングを収納するためのスプリング収納部と、
上記スプリング収納部に収納された上記スプリングの一方の端部に当接することで、上記操作子の一方の方向へのスライド操作時における上記スプリングのスライド移動を抑止したうえで、上記操作子の一方の方向へのスライド移動を可能とする溝部を備えた第１のストッパと、上記スプリング収納部に収納された上記スプリングの他方の端部に当接することで、上記操作子の他方の方向へのスライド操作時における上記スプリングのスライド移動を抑止したうえで、上記操作子の他方の方向へのスライド移動を可能とする溝部を備えた第２のストッパとを備え、筐体と一体的に形成されると共に、上記一方及び他方の両方向へのスライド移動が可能となるように上記操作子を保持し、非スライド操作時には、上記一方の方向に対応するスライド位置及び上記他方の方向に対応するスライド位置の略中間となる位置に上記操作子を保持するスライド溝部と
を有する。
【００１１】
このような本発明は、スプリングの一方の孔部を操作子の一方のアーム部に挿入し、該スプリングの他方の孔部を操作子の他方のアーム部に挿入することで、操作子とスプリングとを一体化する。そして、筐体と一体的に形成されたスライド溝部のスプリング収納部に、上記操作子に設けられたスプリングを収納するように、操作子をスライド溝部に組み込む。
【００１２】
スライド溝部は、一方及び他方の両方向へのスライド移動が可能となるように上記操作子を保持し、非スライド操作時には、上記一方の方向に対応するスライド位置及び上記他方の方向に対応するスライド位置の略中間となる位置に上記操作子を保持する。
【発明の効果】
【００１３】
本発明は、スプリングと、このスプリングが設けられる操作子と、筐体と一体成形され、操作子を両方向にスライド自在に保持するスライド溝部との少ない部品点数で実現することができる。また、組み立て時には、スプリングと一体化した操作子を、筐体に設けられたスライド溝部に装着するだけで、簡単に組み立てることができる。
【００１４】
また、相対向するように設けられた一対のアーム部をスプリングの孔部に挿入し、該各アーム部でスプリングを挟持するようになっているため、何らかの原因で当該両方向スライドスイッチ装置が筐体から外れた場合でも、スプリングが紛失する不都合を防止することができる。
【００１５】
また、筐体に対して一体的に設けられたスライド溝部に、スプリングが設けられた操作子を装着するようになっている。すなわち、筐体に対して一体的に設けられたスライド溝部を、当該両方向スライドスイッチ装置を構成する一つの部品としているため、当該両方向スライドスイッチ装置を筐体と共にデザインすることができる。このため、当該両方向スライドスイッチ装置の設置スペースを小さくすることを可能とすることができる。
【００１６】
また、筐体に対して一体的に設けられたスライド溝部を、当該両方向スライドスイッチ装置を構成する一つの部品としているため、設計者は、当該両方向スライドスイッチ装置を機器の外観の一部として該機器のデザインをすることができる（＝当該両方向スライドスイッチ装置を含めて機器全体をデザインすることができる。）。従って、当該両方向スライドスイッチ装置により機器のデザインが制約され、また、当該両方向スライドスイッチ装置により機器の外観が損なわれる不都合を防止することができる。
【発明を実施するための最良の形態】
【００１７】
本発明は、一例として音楽プレーヤ機能の設けられた携帯電話機の楽曲音量調整用のボリウムスイッチに適用することができる。
【００１８】
［携帯電話機の構成］
この本発明の実施の形態となる携帯電話機は、図１に示すように基地局との間で無線通信を行うアンテナ１及び通信回路２と、着信音や受話音声の他、音楽コンテンツに対応する音響出力を得るためのスピーカ部３と、送話音声等を集音するマイクロホン部４と、画像（動画像、静止画像等）や文字等を表示するための表示部５とを有している。
【００１９】
また、この携帯電話機は、文字等の入力操作や所望のメニューの選択操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９とを有している。
【００２０】
また、この携帯電話機は、現在時刻をカウントするタイマ１０と、基地局を介した無線通信処理を行うための通信処理プログラム（コミュニケーションプログラム）の他、各種アプリケーションプログラムや、これら各アプリケーションプログラムで取り扱われる各種データ（コンテンツ）等が記憶されたメモリ１１と、当該携帯電話機全体を制御する制御部１２と、上記スピーカ部３や図示しないイヤホン端子を介して出力される音楽コンテンツの楽曲音量を手動調整するためのボリウムスイッチ１３を有している。
【００２１】
メモリ１１には、電子メールの作成や送受信を制御するための電子メール管理プログラムと、カメラ部８の撮像制御やデータ処理制御、及びカメラ部８で撮像された動画像や静止画像を上記表示部５に表示制御するためのカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００２２】
また、メモリ１１には、ユーザの所望のスケジュールが登録されるスケジュール帳と、ユーザの知人や友人等の静止画像（主に顔画像）、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００２３】
〔ボリウムスイッチの構成〕
ボリウムスイッチ１３は、図２（ａ）及び図２（ｂ）に示すように操作子２１と、この操作子２１に設けられるスプリング２２とを有している。操作子２１は、長方形の板形状を有しており、長手方向に対応する狭面積の側面部のうち一方の側面部に、それぞれ各角部から長手方向に沿って突出し、互いが相対向するように一対のアーム部２３、２４が設けられている。この相対向するように設けられているアーム部２３、２４の各先端部２３ａ、２４ａの間は、スプリング２２の全長の略１／３程度の大きさの間隙部２５となっている。また、各アーム部２３、２４の長さと間隙部２５の長さとを加算した長さは、スプリング２２の全長と略々同じ長さとなっている。
【００２４】
スプリング２２は、一方の孔部２２ａに対して操作子２１のアーム部２３を上記間隙部２５を介して挿入し、他方の孔部２２ｂに対して操作子２１のアーム部２４を上記間隙部２５を介して挿入することで、図２（ｂ）に示すように各アーム部２３，２４により支持されるかたちで、操作子２１と一体的に設けられるようになっている。
【００２５】
また、操作子２１には、一方の広面積の面部の略中央に、該広面積の面部に対して直交する方向に突出するように操作摘み部２６が設けられている。後に説明するが、操作子２１は、この操作摘み部２６を介して当該操作子２１の長手方向に沿ってスライド操作可能となっている。
【００２６】
次に、図３に示すように、この操作子２１には、上記操作摘み部２６が設けられた面部に対して反対側となる面部に、当該面部と直交する方向に突出するように、当該操作子２１の長手方向に沿って並設された一対の挟持レバー２８、２９が設けられている。一方の挟持レバー２８と他方の挟持レバー２９との間は、図４に示すように操作子２１のスライド操作方向を検出するスライド方向検出スイッチ３０の移動アーム３１を挟持可能とする間隙部３２となっている。
【００２７】
次に、図３は、当該携帯電話機の下筐体４０の操作子２１が設けられる部分を示している。この図３からわかるように下筐体４０の操作子２１が設けられる部分には、操作子２１の上記操作摘み部２６を当該下筐体外に露出させるための操作摘み露出用孔部４１と、操作子２１を該操作子２１の長手方向に沿ってスライド可能に支持するスライド溝部４２とが設けられている。
【００２８】
スライド溝部４２は、一対のスライド支持片４２ａ、４２ｂを有しており、例えばＡＢＳ樹脂（ABS：ACRYLONITRILE（アクロル二トリル）、BUTADIENE（ブタジエン）、STYRENE（スチレン））等の部材で下筐体４１と一体的に形成されている。このスライド溝部４２は、スプリング２２の全長と略々同じ長さで、操作子２１が装着された際に、該操作子２１に設けられたスプリング２２を収納するスプリング収納部４３を有している。
【００２９】
このスプリング収納部４３は、スプリング２２の各端部と当接するストッパ４３ａ、４３ｂを有している。また、スプリング収納部４３の各ストッパ４３ａ、４３ｂは、操作子２１のスライド方向に貫通する溝部４４、４５が設けられている。
【００３０】
すなわち、スライド溝部４２は、操作子２１が装着された際に、スプリング収納部４３で該操作子２１に設けられたスプリング２２を収納し、操作子２１がスライド操作された際に、ストッパ４３ａ或いはストッパ４３ｂでスプリング２２のスライド移動を抑止したうえで、上記溝部４４或いは溝部４５により操作子２１のみのスライド移動を可能としている。
【００３１】
［ボリウムスイッチの組み立て工程］
このような操作子２１を有するボリウムスイッチ１３を組み立てる場合、まず、図２（ａ）に示すように、スプリング２２の一方の孔部２２ａに対して操作子２１のアーム部２３を上記間隙部２５を介して挿入し、他方の孔部２２ｂに対して操作子２１のアーム部２４を上記間隙部２５を介して挿入することで、図２（ｂ）に示すように各アーム部２３，２４でスプリング２２を支持させて、操作子２１とスプリング２２とを一体化させる。
【００３２】
次に、図３中に矢印で示すように操作子２１を下筐体４０に設けられたスライド溝部４２に挿入し、操作子２１に設けられているスプリング２２を、スライド溝部４２のスプリング収納部４３に収納する。これにより、スプリング２２がスプリング収納部４３に収納された状態で、スライド溝部４２の各スライド支持片４２ａ、４２ｂにより挟持されるかたちで、操作子２１が下筐体４０に立設される。
【００３３】
次に、このように操作子２１をスライド溝部４２に装着した状態で、図４に示すように操作子２１の挟持レバー２８、２９の間に形成される間隙部３２に、スライド方向検出スイッチ３０の移動アーム３１を挿入する。これにより、移動アーム３１が挟持レバー２８、２９により挟持され、図４中に矢印で示すように操作子２１の右方向（Ｒ）及び左方向（Ｌ）のスライド操作に応じて、スライド方向検出スイッチ３０の移動アーム３１が右方向（Ｒ）及び左方向（Ｌ）にスライド移動する状態となる。
【００３４】
最後に、図５に示すように下筐体４０に対して上筐体５０を装着する。これにより、操作子２１は、操作摘み部２６が下筐体４０に設けられた操作摘み露出用孔部４１から露出した状態で、該各筐体４０、５０内に収納されることとなる。
【００３５】
［ボリウムスイッチの動作］
図６（ａ）にボリウムスイッチ１３の非操作時における操作子２１の位置を、図６（ｂ）にボリウムスイッチを左方向（Ｌ）にスライド操作した状態における操作子２１の位置を、図６（ｃ）にボリウムスイッチを右方向（Ｒ）にスライド操作した状態における操作子２１の位置をそれぞれ示す。
【００３６】
（非操作時の動作）
まず、図６（ａ）からわかるように、ボリウムスイッチ１３の非操作時には、スライド溝部４２のスプリング収納部４３に収納された操作子２１のスプリング２２が縮んでおらず、下筐体４０の操作摘み露出用孔部４１から露出している操作摘み部２６が、該露出用孔部４１の略中央に位置した状態となる（中間位置）。
【００３７】
（音量アップ操作時の動作）
次に、音楽コンテンツの再生時等に出力音量を上げたい場合、ユーザは指等で、操作子２１の操作摘み部２６を、図６（ｂ）に示す左方向（Ｌ）にスライド操作する。操作摘み部２６が上記左方向（Ｌ）にスライド操作されると、この操作摘み部２６に対応して操作子２１全体がスライド溝部４２に沿って上記左方向（Ｌ）にスライド移動する。そして、操作子２１に設けられたスプリング２２の一方の端部がスライド溝部４２のストッパ４３ｂに当接したうえで、なおも操作子２１が上記左方向（Ｌ）にスライド操作されることで、スプリング２２が、このスライド操作により加えられた力で縮んだ状態となる。
【００３８】
次に、ユーザが操作摘み部２６から指を離すと、それまで加えられていた上記左方向（Ｌ）へのスライド操作の力から開放されるため、スプリング２２が、上記縮んだ状態から元の状態に戻ろうとする。操作子２１は、このスプリング２２の元に戻ろうとする力により右方向（Ｒ）へスライド移動し、スプリング２２が縮んだ状態から元に戻った際に、図６（ａ）に示した非操作時の位置に自動的に復帰する。
【００３９】
一方、操作子２１が上記左方向（Ｌ）にスライド操作されると、図４に示したように操作子２１の挟持レバー２８、２９で挟持されていたスライド方向検出スイッチ３０の移動アーム３１も、上記左方向（Ｌ）にスライド移動する。スライド方向検出スイッチ３０は、この移動アーム３１の上記左方向（Ｌ）のスライド移動を検出すると、この左方向（Ｌ）のスライド移動を示す検出出力を、図１に示す制御部１２に供給する。制御部１２は、スライド方向検出スイッチ３０から、この左方向（Ｌ）のスライド移動を示す検出出力が供給されると、ユーザにより音量アップが指定されたものと認識し、所定音量分、出力音量をアップ制御する。
【００４０】
すなわち、ユーザは、出力音量を上げたい場合には、操作子２１を上記左方向（Ｌ）にスライド操作し、このスライド操作後に、該操作子２１の操作摘み部２６から指を離し、これにより上記中間位置に復帰する操作部２１を上記左方向（Ｌ）に、再度、スライドする操作を、所望の音量が得られるまで繰り返し行う。
【００４１】
スライド方向検出スイッチ３０からは、ユーザにより上記左方向（Ｌ）のスライド操作がなされる毎に、該左方向（Ｌ）のスライド移動を示す検出出力が制御部１２に対して供給される。制御部１２は、この左方向（Ｌ）のスライド移動を示す検出出力が供給される毎に、所定音量分、出力音量をアップ制御する。これにより、ユーザが上記左方向（Ｌ）のスライド操作を行う毎に、上記所定音量分ずつ、出力音量がアップすることとなる。
【００４２】
（音量ダウン操作時の動作）
次に、音楽コンテンツの再生時等に出力音量を下げたい場合、ユーザは指等で、操作子２１の操作摘み部２６を、図６（ｃ）に示す右方向（Ｒ）にスライド操作する。操作摘み部２６が上記右方向（Ｒ）にスライド操作されると、この操作摘み部２６に対応して操作子２１全体がスライド溝部４２に沿って上記右方向（Ｒ）にスライド移動する。そして、操作子２１に設けられたスプリング２２の他方の端部がスライド溝部４２のストッパ４３ａに当接したうえで、なおも操作子２１が上記右方向（Ｒ）にスライド操作されることで、スプリング２２が、このスライド操作により加えられた力で縮んだ状態となる。
【００４３】
次に、ユーザが操作摘み部２６から指を離すと、それまで加えられていた上記右方向（Ｒ）へのスライド操作の力から開放されるため、スプリング２２が、上記縮んだ状態から元の状態に戻ろうとする。操作子２１は、このスプリング２２の元に戻ろうとする力により左方向（Ｌ）へスライド移動し、スプリング２２が縮んだ状態から元に戻った際に、図６（ａ）に示した非操作時の位置に自動的に復帰する。
【００４４】
一方、操作子２１が上記右方向（Ｒ）にスライド操作されると、図４に示したように操作子２１の挟持レバー２８、２９で挟持されていたスライド方向検出スイッチ３０の移動アーム３１も、上記右方向（Ｒ）にスライド移動する。スライド方向検出スイッチ３０は、この移動アーム３１の上記右方向（Ｒ）のスライド移動を検出すると、この右方向（Ｒ）のスライド移動を示す検出出力を、図１に示す制御部１２に供給する。制御部１２は、スライド方向検出スイッチ３０から、この右方向（Ｒ）のスライド移動を示す検出出力が供給されると、ユーザにより音量ダウンが指定されたものと認識し、所定音量分、出力音量をダウン制御する。
【００４５】
すなわち、ユーザは、出力音量を下げたい場合には、操作子２１を上記右方向（Ｒ）にスライド操作し、このスライド操作後に、該操作子２１の操作摘み部２６から指を離し、これにより上記中間位置に復帰する操作部２１を上記右方向（Ｒ）に、再度、スライドする操作を、所望の音量が得られるまで繰り返し行う。
【００４６】
スライド方向検出スイッチ３０からは、ユーザにより上記右方向（Ｒ）のスライド操作がなされる毎に、該右方向（Ｒ）のスライド移動を示す検出出力が制御部１２に対して供給される。制御部１２は、この右方向（Ｒ）のスライド移動を示す検出出力が供給される毎に、所定音量分、出力音量をダウン制御する。これにより、ユーザが上記右方向（Ｒ）のスライド操作を行う毎に、上記所定音量分ずつ、出力音量がダウンすることとなる。
【００４７】
［実施の形態の効果］
以上の説明から明らかなように、この実施の形態の携帯電話機は、ボリウムスイッチ１３を組み立てる際に、操作子２１の各アーム部２３、２４をスプリング２２の各孔部２２ａ、２２ｂに挿入することで、各アーム部２３，２４でスプリング２２を支持させて、操作子２１とスプリング２２とを一体化させる。
【００４８】
次に、操作子２１を下筐体４０に設けられたスライド溝部４２に挿入し、操作子２１に設けられているスプリング２２を、スライド溝部４２のスプリング収納部４３に収納し、スプリング２２がスプリング収納部４３に収納された状態で、操作子２１をスライド溝部４２に立設する。
【００４９】
次に、操作子２１をスライド溝部４２に装着した状態で、操作子２１の挟持レバー２８、２９の間に形成される間隙部３２に、スライド方向検出スイッチ３０の移動アーム３１を挿入したうえで、下筐体４０に対して上筐体５０を装着して、ボリウムスイッチ１３を筐体内に収納する。
【００５０】
すなわち、ボリウムスイッチ１３は、スプリング２２を装着した操作子２１と、下筐体４０と一体成形されたスライド溝部４２と、スライド方向検出スイッチ３０とによる簡単な構成で、上記スプリング２２を装着した操作子２１を下筐体４０のスライド溝部４２に挿入し、この操作子２１に対してスライド方向検出スイッチ３０を設けるだけで簡単に組み立てることができる。
【００５１】
また、スプリング２２は、操作子２１の各アーム部２３，２４で挟持されるかたちで支持されており、一旦、操作子２１に装着されると滅多なことでは操作子２１から外れることは無いため、何らかの原因でボリウムスイッチ１３が筐体から外れた場合でも、スプリング２２が紛失する不都合を防止することができる。
【００５２】
また、下筐体４０と一体成形されたスライド溝部４２がボリウムスイッチ１３を構成する一つの部品となっているため、当該ボリウムスイッチ１３を当該携帯電話機の筐体と共にデザインすることを可能とすることができる。このため、当該ボリウムスイッチ１３の設置スペースを小さくすることを可能とすることができる。
【００５３】
また、下筐体４０と一体成形されたスライド溝部４２がボリウムスイッチ１３を構成する一つの部品となっているため、設計者は、当該ボリウムスイッチ１３を当該携帯電話機の外観の一部としてデザインをすることができる（＝当該ボリウムスイッチ１３を含めて携帯電話機全体をデザインすることができる。）。従って、ボリウムスイッチ１３の存在により当該携帯電話機のデザインに制約を受ける不都合を防止することができるうえ、ボリウムスイッチ１３により当該携帯電話機の外観が損なわれる不都合を防止することができる。
【００５４】
［変形例］
上述の実施の形態は、本発明を携帯電話機に適用した例を説明したが、本発明は、この携帯電話機の他、ＰＨＳ電話機（PHS：Personal Handyphone System）、ＰＤＡ装置（PDA：Personal Digital Assistant）、携帯ゲーム機、デジタルカメラ装置、ビデオカメラ装置、デスクトップ型或いはノート型のパーソナルコンピュータ装置、ハードディスクレコード装置、光ディスク装置等のあらゆる電子機器に適用してもよい。そして、いずれの場合も、上述と同じ効果を得ることができる。
【００５５】
また、上述の実施の形態の説明では、本発明をボリウムスイッチに適用することとしたが、本発明は、この他、例えばキーロックスイッチや、カメラ部のマクロ撮影／標準撮影等の切り替えを行う撮影モードの切り替えスイッチ等に適用してもよい。これらの場合でも上述と同じ効果を得ることができる。
【００５６】
最後に、本発明は、本発明の一例として開示したに過ぎない上述の実施の形態に限定されることはなく、本発明に係る技術的思想を逸脱しない範囲であれば、上述の実施の形態以外であっても設計等に応じて種々の変更が可能であることは勿論であることを付け加えておく。
【図面の簡単な説明】
【００５７】
【図１】本発明を適用した実施の形態となる携帯電話機のブロック図である。
【図２】実施の形態となる携帯電話機に設けられているボリウムスイッチの操作子の斜視図である。
【図３】ボリウムスイッチの操作子が、実施の形態となる携帯電話機の下筐体に設けられているスライド溝部に装着される様子を示す斜視図である。
【図４】ボリウムスイッチの操作子に設けられている挟持レバーと、スライド方向検出スイッチ３０の移動アームとの接続関係を示す斜視図である。
【図５】実施の形態の携帯電話機に設けられたボリウムスイッチの外観を示す斜視図である。
【図６】ボリウムスイッチの操作子の非操作時における停止位置、左方向へのスライド操作時における移動位置、及び右方向へのスライド操作時における移動位置を示す斜視図である。
【符号の説明】
【００５８】
１  アンテナ、２  通信回路、３  スピーカ部、４  マイクロホン部、５  表示部、６  操作部、７  発光部（ＬＥＤ）、８  カメラ部、９  バイブレーションユニット、１０  タイマ、１１  メモリ、１２  制御部、１３  ボリウムスイッチ、２１  操作子、２２  スプリング、２２ａ  スプリングの一方の孔部、２２ｂ  スプリングの他方の孔部、２３  操作子の一方のアーム部、２３ａ  一方のアーム部の先端部、２４  操作子の他方のアーム部、２４ａ  他方のアーム部の先端部、２５  操作子の各アーム部の間の間隙部、２６  操作摘み部、２８  操作子の一方の挟持レバー、２９  操作子の他方の挟持レバー、３０  スライド方向検出スイッチ、３１  スライド方向検出スイッチの移動アーム、３２  各挟持レバーの間の間隙部、４０  携帯電話機の下筐体、４１  操作子の操作摘み部の露出用孔部、４２  スライド溝部、４２ａ  スライド溝部の一方のスライド支持片、４２ｂ  スライド溝部の他方のスライド支持片、４３  スプリング収納部、４３ａ  スライド溝部の一方のストッパ、４３ｂ  スライド溝部の他方のストッパ、４４  スライド溝部の一方の溝部、４５  スライド溝部の他方の溝部
【図１】
2008097934.tif 000003
【図２】
2008097934.tif 000004
【図３】
2008097934.tif 000005
【図４】
2008097934.tif 000006
【図５】
2008097934.tif 000007
【図６】
2008097934.tif 000008